(57)【要約】【課題】  静止画漫画で表したニュース情報等を携帯電話や携行端末に配信する方法において、吹き出し文字を含む画像情報をそのまま再生しようとすると、携帯電話や携行端末の表示部は小さいため、吹き出し文字が小さ過ぎて、識別するのが困難である。【解決手段】  かかる問題を解決するために、静止画漫画データを再生するに際し、例えば静止画漫画の画像データを再生した後、所定時間経過後にこの静止画漫画の画像に対応する吹き出し文字部分の文字情報、あるいはこれらを音声データとして表した情報を再生するようにし、かかる再生操作をコマ数の数だけ交互に繰返して行う構成とした。【選択図】図１
2006139710.tif 000002
【特許請求の範囲】
【請求項１】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データで構成されたデータからなり、
ダウンロードしたデータを記憶手段に記録するステップと、
当該記憶手段に記録されたデータに基づき、画像データを再生し、所定時間経過後に当該画像データ上に文字データを重ねて再生するステップをコマ数の数だけ交互に繰返して再生することを特徴とする静止画漫画の再生方法。
【請求項２】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データで構成されたデータからなり、
ダウンロードしたデータを記憶手段に記録するステップと、
当該記憶手段に記録されたデータに基づき、画像データを再生し、所定時間経過後に当該画像データを消去した後に、文字データのみを再生するステップをコマ数の数だけ交互に繰返して再生することを特徴とする静止画漫画の再生方法。
【請求項３】
携帯電話や携行端末においてニュース等の情報を静止画漫画により再生するための方法であって、当該静止画漫画が一つ以上のコマ数からなり、更に当該静止画漫画の各コマが画像データと、吹き出し文字に対応する音声データで構成されたデータからなり、
ダウンロードしたデータを記憶手段に記録するステップと、
当該記憶手段に記録されたデータに基づき、画像データを再生し、所定時間経過後に当該画像データを表示しつつ音声データを再生するステップをコマ数の数だけ交互に繰返して再生することを特徴とする静止画漫画の再生方法。
【請求項４】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データと、吹き出し文字に対応する音声データで構成されたデータからなり、
ダウンロードしたデータを記憶手段に記録するステップと、当該記憶手段に記録されたデータに基づき、
(1)画像データを再生し、所定時間経過後に当該画像データ上に文字データを重ねて再生するステップをコマ数の数だけ交互に繰返して再生する方式と、
(2)画像データを再生し、所定時間経過後に当該画像データを消去した後に、文字データのみを再生するステップをコマ数の数だけ交互に繰返して再生する方式と、
(3)画像データを再生し、所定時間経過後に当該画像データを表示しつつ音声データを再生するステップをコマ数の数だけ交互に繰返して再生する方式とを備え、当該複数の再生方式の中から任意の一つ又は複数の再生方式を選択することを可能ならしめたことを特徴とする静止画漫画の再生方法。
【請求項５】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データと、吹き出し文字に対応する音声データで構成されたデータからなり、
ダウンロードしたデータを記憶手段に記録するステップと、
当該記憶手段に記録されたデータに基づき、画像データを再生し、所定時間経過後に当該画像データ上に文字データを重ねて再生すると共に、更に音声データを再生するステップをコマ数の数だけ交互に繰返して再生することを特徴とする静止画漫画の再生方法。
【請求項６】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データと、吹き出し文字に対応する音声データで構成されたデータからなり、
ダウンロードしたデータを記憶手段に記録するステップと、
当該記憶手段に記録されたデータに基づき、画像データを再生し、所定時間経過後に当該画像データを消去した後に、文字データを再生すると共に、更に音声データを再生するステップをコマ数の数だけ交互に繰返して再生することを特徴とする静止画漫画の再生方法。
【請求項７】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データと、吹き出し文字に対応する音声データで構成されたデータからなり、
ダウンロードしたデータを記憶手段に記録するステップと、
当該記憶手段に記録されたデータに基づき、画像データを再生し、所定時間経過後に当該画像データに加え、文字データまたは音声データの内の一つを選択して再生するステップをコマ数の数だけ交互に繰返して再生することを特徴とする静止画漫画の再生方法。
【請求項８】
携帯電話や携行端末においてニュース等の情報を静止画漫画により再生するための方法であって、当該静止画漫画が一つ以上のコマ数からなり、更に当該静止画漫画の各コマが画像データと、吹き出し文字に相当する文字データと、吹き出し文字に対応する音声データで構成されたデータからなり、
ダウンロードしたデータを記憶手段に記録するステップと、
当該記憶手段に記録されたデータに基づき、
(1)画像データを再生し、所定時間経過後に当該画像データ上に文字データを重ねて再生すると共に、更に音声データを再生するステップをコマ数の数だけ交互に繰返して再生する方法と、
(2)画像データを再生し、所定時間経過後に当該画像データを消去した後に、文字データを再生すると共に、更に音声データを再生するステップをコマ数の数だけ交互に繰返して再生する方法と、
(3)画像データを再生し、所定時間経過後に当該画像データ上に文字データまたは音声データの内の一つを選択して再生するステップをコマ数の数だけ交互に繰返して再生する方法とを備え、当該複数の再生方式の中から任意の一つ又は複数の再生方式を選択することを可能ならしめたことを特徴とする静止画漫画の再生方法。
【請求項９】
請求項1乃至8に記載の静止画漫画の再生方法において、前記所定時間を任意に設定することを可能ならしめた静止画漫画の再生方法。
【請求項１０】
請求項1乃至8に記載の静止画漫画の再生方法において、前記画像データの再生方法がスクロールにより再生する方法であって、当該スクロールが自動的に行われ、スクロール開始のタイミング、スクロールの方向、スクロールの時間間隔を任意に設定することを可能ならしめた静止画漫画の再生方法。
【請求項１１】
請求項1乃至8に記載の静止画漫画の再生方法において、前記画像データの再生方法がスクロールにより再生する方法であって、当該スクロールがマニュアル操作により行われ、スクロールの方向、スクロール毎のタイミングをキー入力により決定することを可能ならしめた静止画漫画の再生方法。
【発明の詳細な説明】
【技術分野】
【０００１】
本発明は、携帯電話や携行端末等における静止画漫画の再生方法に係り、更に詳細には、静止画漫画の画像データと静止画漫画の吹き出し文字データ、あるいは吹き出し文字データを変換した音声データの再生方法に係る。
【背景技術】
【０００２】
最近の情報通信システムや情報通信機器の技術進歩は目覚しいものがあり、かかる技術的な背景に基き、携帯電話や携行端末の普及率も大きく伸びてきている。
【０００３】
一方、社会環境の変化も激しく、政治、経済、スポーツ等に係るニュースが溢れている。
【０００４】
このような社会環境、技術環境の中にあって携帯電話や携行端末を利用してニュース情報等をいつ、どこに居ても、簡便に手に入れたいというニーズが高まってきている。
【０００５】
かかるニーズを満たすため、携帯電話等を利用したニュース情報配信サービスが行われている。このようなサービスは、テキストデータによって提供されるのが一般的であり、このテキストデータの多くは改行、字体や文字の大きさ（ポイント）などの情報を含まない単純な文字データのみの情報、いわゆる「べた打ち」のテキストデータである。
【０００６】
しかし、紙媒体と比べて携帯電話や携行端末の表示部分は限られた表示範囲しか持たないため、一度に表示する文字の量には限界がある。そのため、携帯電話や携行端末でニュース情報等のテキストを読む場合、一般的にそのテキストは、携帯電話や携行端末の表示部の表示可能文字数ごとに、その文章の内容とは関係なく機械的に折り返されて表示される。ユーザは、ニュース情報等を入手する場合、ニュース情報配信サービス事業者が提供するニュース情報等をかかる表示方法に基いて表示されるテキストデータによって読み取っていた。従って、ユーザは携帯電話や携行端末の小さい画面の中に表示された大量のテキストデータを一字一字読み取って情報を得ていた。
【０００７】
そこで、携帯電話や携行端末の表示部の表示可能文字数ごとに、その文章の内容とは関係なく機械的に折り返されて表示される文字を少しでも読み易くするために、携帯電話や携行端末の表示部に表示されるテキストの表示にＲＳＶＰ（Ｒａｐｉｄ Ｓｅｒｉａｌ Ｖｉｓｕａｌ Ｐｒｅｓｅｎｔａｔｉｏｎ：高速順次切替表示）を適用して、極限られた表示範囲しか持たない携帯情報端末装置でのテキストの読解のパフォーマンスを向上させる等の工夫がなされている(特許文献1参照)。
【０００８】
しかし、かかる工夫がなされたといっても、小さな表示部に表示された文字を読みながら情報を認識するということに変わりが無く、必ずしもニュース情報等を簡便に入手できると言えるものではなかった。
【０００９】
そこで、携帯電話や携行端末とその基地局と接続された通信サービス網を使用し、静止画漫画で表現したニュース情報等を、携帯電話や携行端末のユーザからの要求により配信することにより、いつでも、どこに居ても、簡便にニュース情報等を入手することができる、ニュース情報等の提供方法が提案されている(特許文献2参照)。
【００１０】
この方法によれば、携帯電話や携行端末のユーザはインターネット通信網を介して情報配信サーバ装置にアクセスし、1又は複数枚の静止画漫画で表したニュース等の情報を入手することができる。このような静止画漫画は、単なる文字情報や音声情報だけとは違って、さまざまな情報を瞬時にユーザに伝達することができるという特徴を持っている。このような情報は、単なる文字情報や音声情報に比べてはるかに多くの情報を有しているため、ユーザーはニュース等の情報を短時間で、簡便に入手することが可能となる。また、携帯電話や携行端末ユーザは、その機器が有するモバイル性から、1又は複数枚の静止画漫画で表したニュース等の情報をいつでも、どこにいても入手することができるようになる。
【特許文献１】特開2004-220109
【特許文献２】特願2004-193191
【発明の開示】
【発明が解決しようとする課題】
【００１１】
しかしながら、上述したような静止画漫画で表したニュース情報等を配信する方法においても、画像情報の他に漫画の中に記載される吹き出し文字に係る情報を表現する必要があり、これを通常の紙媒体に記載された状態のまま、携帯電話や携行端末の表示部に表現しようとすると実用上、大きな問題が生じることになる。
【００１２】
この問題点の第一は、携帯電話や携行端末の表示部は小さく、ここに吹き出し文字を含む静止画漫画を表示しても文字が小さ過ぎて、識別するのが困難であることである。このため、吹き出し文字部分を拡大して表示することも可能であるが吹き出し文字を読むために、その都度画面を拡大表示することは操作が煩雑になるという問題が生じる。
【００１３】
第二の問題点は、画像情報の中に記載された吹き出し文字を、例えば拡大して表示し、それを読み取れる程度の解像度を持たせようとすると一枚の静止画漫画の情報量が非常に大きなものとなってしまい、通信コストの増大を招いたり、その画像を保存するために大きな記憶容量が必要となることである。
【課題を解決するための手段】
【００１４】
以上のような課題を解決するために、請求項1に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データで構成されたデータからなり、ダウンロードしたデータを記憶手段に記録するステップと、この記憶手段に記録されたデータに基づき、画像データを再生し、所定時間経過後にこの画像データ上に文字データを重ねて再生するステップをコマ数の数だけ交互に繰返して再生することができる構成とした。
【００１５】
このような構成とすることにより、例えば、ユーザは静止画漫画の画像を見た後、その画像のコマにおいて表示されるべき吹き出し文字の情報がその画像上に重ねて表示されるため、大きな文字で吹き出し文字の情報を確認することができるようになる。その結果、静止画漫画の情報全体を容易に認識することができるようになる。また、このように静止画の画像に重ねて、吹き出し文字データを表示するようにしているため、静止画漫画の画像解像度を不必要に上げる必要はなく、少ない情報量でニュース情報等を表すことが可能となる。
【００１６】
請求項2に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データで構成されたデータからなり、ダウンロードしたデータを記憶手段に記録するステップと、記憶手段に記録されたデータに基づき、画像データを再生し、所定時間経過後にこの画像データを消去した後に、文字データのみを再生するステップをコマ数の数だけ交互に繰返して再生する構成とした。
【００１７】
このような構成とすることにより、例えば、ユーザは静止画漫画の画像を見た後、その画像のコマにおいて表示されるべき吹き出し文字の情報を、漫画画像とは別に、文字情報だけを再生した画面を見ることによって、大きな文字で情報を認識することができるようになる。その結果、静止画漫画の情報全体を容易に認識することができるようになる。また、このように静止画の画像とは別に、吹き出し文字データを表示するようにしているため、静止画漫画の画像解像度を不必要に上げる必要はなく、少ない情報量でニュース情報等を表すことができることは請求項1に係る発明と同様である。
【００１８】
請求項3に係る発明では、携帯電話や携行端末によってニュース等の情報を静止画漫画により再生するための方法において、静止画漫画が一つ以上のコマ数からなり、更に静止画漫画の各コマが画像データと、吹き出し文字に対応する音声データで構成されたデータからなり、ダウンロードしたデータを記憶手段に記録するステップと、記憶手段に記録されたデータに基づき、画像データを再生し、所定時間経過後に画像データを表示しつつ音声データを再生するステップをコマ数の数だけ交互に繰返して再生する構成とした。
【００１９】
このような構成とすることにより、ユーザは静止画漫画の画像を見た後、その画像のコマにおいて表示されるべき吹き出し文字の情報の代わりに、吹き出し文字の情報に相当する音声データが再生されるため、画像と音声によって情報を認識することができるようになる。その結果、静止画漫画の情報全体を容易に認識することができるようになる。また、このように静止画の画像を表示しつつ、音声データを再生するようにしているため、静止画漫画の画像解像度を不必要に上げる必要はなく、少ない情報量でニュース情報等を表すことができることは請求項1に係る発明と同様である。
【００２０】
請求項4に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データと、吹き出し文字に対応する音声データで構成されたデータからなり、ダウンロードしたデータを記憶手段に記録するステップと、記憶手段に記録されたデータに基づき、
(1)画像データを再生し、所定時間経過後に画像データ上に文字データを重ねて再生するステップをコマ数の数だけ交互に繰返して再生する方式と、
(2)画像データを再生し、所定時間経過後に画像データを消去した後に、文字データのみを再生するステップをコマ数の数だけ交互に繰返して再生する方式と、
(3)画像データを再生し、所定時間経過後に画像データを表示しつつ音声データを再生するステップをコマ数の数だけ交互に繰返して再生する方式と
を備え、この複数の再生方式の中から任意の一つ又は複数の再生方式を選択することを可能ならしめた構成とした。
【００２１】
このような構成とすることにより、ユーザは複数の静止画漫画の画像再生方法の中から、自分の好みにあった再生方法を選択することが可能となる。
【００２２】
請求項5に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データと、吹き出し文字に対応する音声データで構成されたデータからなり、ダウンロードしたデータを記憶手段に記録するステップと、記憶手段に記録されたデータに基づき、画像データを再生し、所定時間経過後に画像データ上に文字データを重ねて再生すると共に、更に音声データを再生するステップをコマ数の数だけ交互に繰返して再生する構成とした。
【００２３】
このような構成とすることにより、ユーザは静止画漫画の画像を見た後、その画像のコマにおいて表示されるべき吹き出し文字の情報を、漫画画像を背景画として見つつ、大きな文字により認識することができると共に、吹き出し文字の情報を音声に変換した音声データでも認識することができる。その結果、更に容易に静止画漫画の情報全体を認識することが可能になる。また、この場合においても静止画の画像とは別に吹き出し文字データや吹き出し文字データに相当する音声データを扱うようにしているため、静止画漫画の画像解像度を不必要に上げる必要はなく、少ない情報量でニュース情報等を表すことができる。
【００２４】
請求項6に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データと、吹き出し文字に対応する音声データで構成されたデータからなり、ダウンロードしたデータを記憶手段に記録するステップと、記憶手段に記録されたデータに基づき、画像データを再生し、所定時間経過後に画像データを消去した後に、文字データを再生すると共に、更に音声データを再生するステップをコマ数の数だけ交互に繰返して再生する構成とした。
【００２５】
このような構成とすることにより、ユーザは静止画漫画の画像を見た後、その画像のコマにおいて表示されるべき吹き出し文字の情報を、漫画画像とは別の文字だけの画面において、大きな文字により情報を認識することができると共に、文字情報に併せて、吹き出し文字の情報を音声に変換した音声データでも情報を認識することができる。その結果、更に容易に静止画漫画の情報全体を認識することが可能になる。また、この場合においても静止画の画像とは別に吹き出し文字データや吹き出し文字データに相当する音声データを扱うようにしているため、静止画漫画の画像解像度を不必要に上げる必要はなく、少ない情報量でニュース情報等を表すことができる。
【００２６】
請求項7に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データと、吹き出し文字に対応する音声データで構成されたデータからなり、ダウンロードしたデータを記憶手段に記録するステップと、記憶手段に記録されたデータに基づき、画像データを再生し、所定時間経過後にその画像データに加え文字データまたは音声データの内の一つを選択して再生するステップをコマ数の数だけ交互に繰返して再生する構成とした。
【００２７】
このような構成とすることにより、例えば、画像データと文字データにより全てのコマの情報を認識した後、更に画像データと音声データにより全てのコマの情報を認識することができるようになったり、また、各コマ毎に文字データと音声データを切り替えながら再生して情報を認識することができるようになる。
【００２８】
請求項8に係る発明では、携帯電話や携行端末によってニュース等の情報を静止画漫画により再生するための方法において、静止画漫画が一つ以上のコマ数から構成され、更に静止画漫画の各コマが画像データと、吹き出し文字に相当する文字データと、吹き出し文字に対応する音声データで構成されたデータからなり、ダウンロードしたデータを記憶手段に記録するステップと、記憶手段に記録されたデータに基づき、
(1)画像データを再生し、所定時間経過後にその画像データ上に文字データを重ねて再生すると共に、更に音声データを再生するステップをコマ数の数だけ交互に繰返して再生する方法と、
(2)画像データを再生し、所定時間経過後にその画像データを消去した後に、文字データを再生すると共に、更に音声データを再生するステップをコマ数の数だけ交互に繰返して再生する方法と、
(3)画像データを再生し、所定時間経過後にその画像データに加え文字データまたは音声データの内の一つを選択して再生するステップをコマ数の数だけ交互に繰返して再生する方法と、
を備え、当該複数の再生方式の中から任意の一つ又は複数の再生方式を選択することを可能ならしめた構成とした。
【００２９】
このような構成とすることにより、ユーザは複数の静止画漫画の画像再生方法の中から、自分の好みにあった再生方法を選択することが可能となる。
【００３０】
請求項9に係る発明では、請求項1乃至8に記載された静止画漫画の再生方法において、前記所定時間を任意に設定することを可能ならしめた構成とした。
【００３１】
このような構成とすることにより、静止画漫画で表現されたニュース情報等をユーザの好みに合わせたスピードで認識することができるようになる。
【００３２】
請求項10に係る発明では、請求項1乃至8に記載された静止画漫画の再生方法において、画像データの再生方法がスクロールにより再生する方法であって、このスクロールが自動的に行われ、スクロール開始のタイミング、スクロールの方向、スクロールの時間間隔を任意に設定することができる構成とした。
【００３３】
このような構成とすることにより、画像を上下方向にスクロールしたり、左右方向にスクロールしたりしながら、ユーザの好みに合わせたスピードで静止画漫画で表現されたニュース情報等を認識することができるようになる。
【００３４】
また、請求項11に係る発明では、請求項1乃至8に記載された静止画漫画の再生方法において、画像データの再生方法がスクロールにより再生する方法であって、そのスクロールがマニュアル操作により行われ、スクロールの方向、スクロール毎のタイミングをキー入力により決定することを可能ならしめた構成とした。
【００３５】
このような構成とすることにより、画像を上下方向にスクロールしたり、左右方向にスクロールしたりしてスクロールの方向を切り替えたり、更にユーザのペースで時には早く、時には遅く表示を切り替えながら静止画漫画によって表現されたニュース情報等を認識することができるようになる。
【発明の効果】
【００３６】
携帯電話や携行端末等において、静止画漫画で表現されたニュース情報等を再生する場合に、携帯電話や携行端末等の限られた小さな画面の中で吹き出し文字を認識する必要が無く、大きな文字で吹き出し文字の情報を認識したり、また音声データにより吹き出し文字の情報を認識することができるようになる。
【００３７】
この結果、静止画漫画で表現されたニュース情報等を極めて容易に認識することができる。
【００３８】
更に、静止画の画像とは別に吹き出し文字データや音声データを再生するようにしているため、静止画漫画の画像解像度を不必要に上げる必要はなく、少ない情報量でニュース情報等を表すことが可能となる。
【００３９】
また、音声データで吹き出し文字の情報を再生する場合には、静止画漫画にその声優のキャラクタイメージを付加することや、地方の言葉で表現したり、海外の言葉で表現することで、静止漫画の意図する背景に合わせ、その読者への効果を高めることが可能となる。
【００４０】
また、吹き出し文字の情報を大きな文字データとして再生したり、音声データとして再生することにより、視覚障害者や聴覚障害者にも静止画漫画で表現されたニュース情報等を楽しめる環境を提供することが可能になる。
【００４１】
更に、静止画漫画で表現されたニュース情報等を配信する際に、同時に広告漫画を配信するような場合には、画像データと大きな文字データ、あるいは音声データで広告情報を流すことができると共に、ユーザが複数の静止画漫画の画像再生方法の中から、再生方法を替えながら再生するようなケースが想定され、このような場合には、広告が複数回再生されることになり、広告の宣伝効果を著しく高めることができる。
【発明を実施するための最良の形態】
【００４２】
以下、本発明に係る携帯電話や携行端末によって静止画漫画の画像データと静止画漫画の吹き出し文字データ、あるいは音声データの再生方法に関する実施例について更に詳細に説明する。
【００４３】
図1は、静止画漫画で表されたニュース情報等を携帯電話や携行端末へ配信するためのシステムブロック図を示したものである。
【００４４】
図1において、13は情報配信サーバであり、14は情報配信サーバへ静止画漫画の画像データファイル、文字データファイル、および音声データファイルを入力するための入力装置である。
【００４５】
また、10は携帯電話、11は携行端末であり、携行端末としては例えばノート型のパーソナルコンピュータやＰＤＡと呼ばれる携帯型情報端末がある。 これらは無線基地局12と無線回線により接続され、通信サービス網15を介して情報配信サーバ13に接続できるようになっている。
【００４６】
ニュース情報等の配信事業者は、専門の漫画製作スタッフが最新のニュース情報等を1又は複数枚の静止画漫画で表したものを基に、画像データ、吹き出し文字に相当する文字データ、および吹き出し文字に相当する文字を変換した音声データを作成し、これらを更にデータ圧縮技術を利用して画像データファイル、文字データファイル、音声データファイルを作成する。そして、これらのデータファイルは入力装置14から情報配信サーバ13へ入力される。
【００４７】
携帯電話や携行端末のユーザは、携帯電話10や携行端末11を操作して、無線基地局12と通信サービス網15を介して情報配信サーバ13にアクセスし、画像データファイル、文字データファイル、そして音声データファイルとして表された、任意のニュース等の情報をダウンロードすることができる。
【００４８】
次に、携帯電話の場合を例にとって静止画漫画で表されたニュース情報等の表示方法について説明する。
【００４９】
図2は、第3世代と呼ばれている携帯電話機のシステム構成の概念を示したものである。
【００５０】
このような携帯電話機は、一般的にデジタル方式の通話機能のほかに、メール、Webブラウズ、ゲームプログラムや画像・音楽などのデータ通信機能、カメラ搭載による動画・静止画の撮影・送信機能などを持っている。
【００５１】
これらの機能を実現するため携帯電話機は、電波の送受信を行う送受信部21、電話の基本機能である通話・通信機能を果たすベースバンド処理部22、画像データ、文字データ、音声データ等のマルチメディア処理機能を果たすアプリケーション処理部23、電話帳・送受信メール等、画像・文字・音声データ、プログラムデータなどを記憶する記憶部24、動画・静止画の撮影機能を果たすカメラモジュール25、画像、文字を再生するための液晶ディスプレイ等からなる表示部26、音声や音楽等を再生するスピーカ27、音声や音を入力するマイク28、そしてデータやコマンドの入力を行うキーボート29等から構成されている。 なお、ベースバンド処理部22やアプリケーション処理部23はそれぞれに独自の記憶部22-1および23-1を内蔵している。
【００５２】
携帯電話のユーザが情報配信サーバ13にアクセスし、画像データファイル、文字データファイル、そして音声データファイルとして表された、ニュース等の情報をダウンロードすると、これらのデータファイルは携帯電話機の送受信部21と、ベースバンド処理部22を介してアプリケーション処理部23へ送られる。これらのデータファイルは、まずアプリケーション処理部23に内蔵された記憶部23-1に一旦記憶され、その後に以下に説明するような実施形態で再生される。
【００５３】
なお、これらのデータファイルは、ベースバンド処理部22に内臓された記憶部22-1やSRAMやフラッシュメモリ等から構成される記憶部24に記憶するようにしても良い。
【００５４】
第一の実施形態においては、画像データファイルと、吹き出し文字に相当する文字データファイルの二種類のデータファイルがダウンロードされ記憶部に記憶される。アプリケーション処理部23は記憶部に記憶されている画像データファイルおよび文字データファイルに基づき、第一コマ目の静止画漫画の画像データを表示部26に再生させる。この画像データを再生してから所定時間経過後に、この静止画漫画の画像の上に第一コマ目の静止画漫画の画像の吹き出し文字に相当する文字データを表示部26に重ねて再生させるようにする。 このような再生形態により静止画漫画のコマ数の数だけ画像と文字を交互に繰り返して再生する。
【００５５】
また、第二の実施形態においては、画像データファイルと、吹き出し文字に相当する文字データファイルの二種類のデータファイルがダウンロードされ記憶部に記憶される。アプリケーション処理部23は記憶部に記憶されている画像データファイルおよび文字データファイルに基づき、第一コマ目の静止画漫画の画像データを表示部26に再生させる。この画像データを再生してから所定時間経過後に、この静止画漫画の画像を消去した上で、第一コマ目の静止画漫画の画像の吹き出し文字に相当する文字データのみを表示部26に再生させるようにする。このような再生形態により静止画漫画のコマ数の数だけ画像と文字を交互に繰り返して再生する。
【００５６】
更に、第三の実施形態においては、画像データファイルと、吹き出し文字に相当する音声データファイルの二種類のデータファイルがダウンロードされ記憶部に記憶される。アプリケーション処理部23は記憶部に記憶されている画像データファイルおよび音声データファイルに基づき、第一コマ目の静止画漫画の画像データを表示部26に再生させる。この画像データを再生してから所定時間経過後に、この静止画漫画の画像を表示しつつ、第一コマ目の静止画漫画の画像の吹き出し文字に相当する音声データを表示部26に重ねて再生させるようにする。このような再生形態により静止画漫画のコマ数の数だけ画像と文字を交互に繰り返して再生する。
【００５７】
また、上述した第一乃至第三の実施形態の内のいずれかの再生形態を選択できるようにし、携帯電話のユーザがそれらの中から任意に再生形態を選び出して再生するようにしても良い。
【００５８】
更に、第四の実施形態においては、画像データファイル、吹き出し文字に相当する文字データファイル、および吹き出し文字に相当する音声データファイルの三種類のデータファイルがダウンロードされ記憶部に記憶される。アプリケーション処理部23は記憶部に記憶されている画像データファイル、文字データファイル、および音声データファイルに基づき、第一コマ目の静止画漫画の画像データを表示部26に再生させる。この画像データを再生してから所定時間経過後に、この静止画漫画の画像を表示しつつ、第一コマ目の静止画漫画の画像の吹き出し文字に相当する文字データを表示部26に重ねて再生させると共に、音声データを再生する。この場合、文字データと音声データを同期させて再生するようにしても良いし、また一方のデータを他方のデータより先に再生させるようにしても良い。このような再生形態により静止画漫画のコマ数の数だけ画像と文字を交互に繰り返して再生する。
【００５９】
また、第五の実施形態においては、画像データファイル、吹き出し文字に相当する文字データファイル、および吹き出し文字に相当する音声データファイルの三種類のデータファイルがダウンロードされ記憶部に記憶される。アプリケーション処理部23は記憶部に記憶されている画像データファイル、文字データファイル、および音声データファイルに基づき、第一コマ目の静止画漫画の画像データを表示部26に再生させる。この画像データを再生してから所定時間経過後に、この静止画漫画の画像を消去した後、第一コマ目の静止画漫画の画像の吹き出し文字に相当する文字データだけを表示部26に再生させると共に、音声データを再生する。この場合、文字データと音声データを同期させて再生するようにしても良いし、また文字データを音声データより先に再生させるようにしても良い。このような再生形態により静止画漫画のコマ数の数だけ画像と文字を交互に繰り返して再生する。
【００６０】
また、第六の実施形態においては、画像データファイル、吹き出し文字に相当する文字データファイル、および吹き出し文字に相当する音声データファイルの三種類のデータファイルがダウンロードされ記憶部に記憶される。アプリケーション処理部23は記憶部に記憶されている画像データファイル、文字データファイル、および音声データファイルに基づき、第一コマ目の静止画漫画の画像データを表示部26に再生させる。この画像データを再生してから所定時間経過後に、ユーザの選択により文字データまたは音声データのいずれかが再生される。
【００６１】
ユーザーが画像データに引き続き、文字データを再生させるか、あるいは音声データを再生させるかについて、例えばスクロールの方向を指示したり、設定したりすることによって選択できるようにしても良いし、係る選択をキーボードに予め割り当てておくようにしても良い。また、このような選択をコマ毎に行うことができるようにしたり、全コマ数を対象にして選択することができるようにしても良い。このような再生形態により静止画漫画のコマ数の数だけ画像と文字を交互に繰り返して再生する。
【００６２】
また、上述した第四乃至第六の実施形態の内のいずれかの再生形態を選択できるようにし、携帯電話のユーザがそれらの中から任意に再生形態を選び出して再生するようにしても良い。
【００６３】
更に、第一乃至第六の実施形態において、例えば画像データを再生してから文字データを再生させるまでの所定時間、あるいは例えば画像データを再生してから音声データを再生させるまでの所定時間等についは、携帯電話のユーザがキーボート29を利用して信号入力を行うことによって任意に設定できるようにしても良い。
【００６４】
また、第一乃至第六の実施形態において、再生される画像データを画面中においてスクロールさせながら再生するようにしても良い。この場合、スクロール開始のタイミング、スクロールの方向、スクロールの時間間隔を予め設定し、この設定された条件に従って自動的に画像データを再生するようにしても良い。
【００６５】
なお、このスクロール開始のタイミング、スクロールの方向、スクロールの時間間隔等の条件については、携帯電話のユーザがキーボート29を利用して信号入力を行うことによって任意に設定できるようにすることも可能である。
【００６６】
また、スクロールによって画像データを再生する場合、再生の都度携帯電話のユーザがキーボート29を利用して信号入力を行うことによって、スクロールの方向、スクロール毎のタイミングを決定するようにしても良い。
【図面の簡単な説明】
【００６７】
【図１】図1は、静止画漫画で表されたニュース情報等を携帯電話や携行端末へ配信するためのシステムブロック図を示したものである。
【図２】図2は、第3世代の携帯電話機のシステム構成の概念を示したものである。
【符号の説明】
【００６８】
10    携帯電話
11    携行端末
13    情報配信サーバ
22-1  記憶部
22    ベースバンド処理部
23    アプリケーション処理部
23-1  記憶部
24    記憶部
26    表示部
27    スピーカ
29    キーボード
【図１】
2006139710.tif 000003
【図２】
2006139710.tif 000004